(57)【要約】      （修正有）【課題】除霜運転時の消費電力または消費動力を低く抑えつつ、除霜運転を短時間に行うことによって、高効率な除霜が成されるヒートポンプシステムを提供する【解決手段】ヒートポンプシステム１００は、冷媒と流体との熱交換を行う流体冷媒熱交換器２と、流体冷媒熱交換器２にて加熱された流体が流れる加熱装置６と、流体冷媒熱交換器２を通過するように流体を循環させる流体循環装置５とを備える。かつ、ヒートポンプシステム１００は、冷媒の流れを制御する制御弁９と、外気から吸熱する蒸発器７と、制御装置１０とを備える。制御装置１０は、除霜運転時に、制御弁９の開度を非除霜運転時よりも大きくし、かつ流体循環装置５を運転して流体を流体冷媒熱交換器２に流し続ける。加熱された流体の熱を利用して速やかに除霜でき、バイパスするため、熱が内部熱交換器１５に吸収されない。【選択図】図５
2014214886.tif 000002
【特許請求の範囲】
【請求項１】
冷媒を圧縮する圧縮機（１）と、
前記圧縮機（１）で圧縮された前記冷媒と流体との熱交換を行う流体冷媒熱交換器（２）と、
前記流体冷媒熱交換器（２）で加熱された前記流体から成る加熱流体が流れる加熱装置（６、６０）と、
前記加熱装置（６、６０）と前記流体冷媒熱交換器（２）とを通過するように前記加熱流体を循環させる流体循環装置（５、２３）と、
前記流体冷媒熱交換器（２）を通過した前記冷媒の流れを制御する制御弁（９）と、
前記制御弁（９）を通過した前記冷媒が流れ、外気から吸熱する蒸発器（７）と、
少なくとも前記流体循環装置（５、２３）と前記制御弁（９）とを制御する制御装置（１０）と、を備え、
前記制御装置（１０）は、前記蒸発器（７）の除霜運転開始時に、前記制御弁（９）の開度を非除霜運転時よりも大きくし、かつ前記流体循環装置（５、２３）を運転して前記流体を前記流体冷媒熱交換器（２）に流すことを特徴とするヒートポンプシステム。
【請求項２】
前記流体冷媒熱交換器（２）は、前記圧縮機（１）で圧縮された前記冷媒と前記加熱流体を成す液体との熱交換を行う液冷媒熱交換器（２）から成り、
前記加熱装置（６）は、前記液冷媒熱交換器（２）にて加熱された前記液体を放熱させる温水機器（６、６０）から成り、
前記流体循環装置（５、２３）は、前記温水機器（６、６０）と前記液冷媒熱交換器（２）とに前記液体を循環させるポンプ（５、２３）から成ることを特徴とする請求項１に記載のヒートポンプシステム。
【請求項３】
更に、内部熱交換器（１５）を有し、
前記内部熱交換器（１５）は、前記流体冷媒熱交換器（２）と膨張弁（１６）の間に設けられた高圧側熱交換部（１５ａ）と前記蒸発器（７）と前記圧縮機（１）の間に設けられ、かつ前記高圧側熱交換部（１５ａ）と熱交換する低圧側熱交換部（１５ｂ）とから成り、
前記流体冷媒熱交換器（２）の冷媒流出側と前記蒸発器（7）の冷媒流入側との間に除霜用制御弁（９）を設けたことを特徴とする請求項１または２に記載のヒートポンプシステム。
【請求項４】
前記加熱流体の温度を検出する流体温度検出手段（１１）と、前記圧縮機（１）で圧縮された前記冷媒の温度を検出する冷媒温度検出手段（１２）と、を更に有し、
前記制御装置（１０）は、前記冷媒温度検出手段（１２）が検出した前記冷媒の温度から所定温度減算した値が、前記流体温度検出手段（１１）が検出した前記加熱流体の前記温度よりも高い場合に、前記除霜運転開始時の前記圧縮機（１）の回転数よりも前記圧縮機（１）の回転数を所定量低下させることを特徴とする請求項１ないし３のいずれか一項に記載のヒートポンプシステム。
【請求項５】
前記加熱流体の温度を検出する流体温度検出手段（１１）と、前記圧縮機（１）で圧縮された前記冷媒の温度を検出する冷媒温度検出手段（１２）と、を更に有し、
前記制御装置（１０）は、前記冷媒温度検出手段（１２）が検出した前記冷媒の温度から所定温度減算した値が、前記流体温度検出手段（１１）が検出した前記加熱流体の前記温度よりも高い場合に、前記除霜運転開始時の前記制御弁（９）の開度よりも前記制御弁（９）の開度を所定量大きくさせることを特徴とする請求項１ないし３のいずれか一項に記載のヒートポンプシステム。
【請求項６】
前記流体冷媒熱交換器（２）は、前記圧縮機（１）で圧縮された前記冷媒と空気との熱交換を行う空気冷媒熱交換器（２）から成り、
前記加熱装置（６）は、前記空気冷媒熱交換器（２）にて加熱された前記加熱流体を成す加熱空気で暖房する室内暖房装置（６）から成り、
前記流体循環装置（５）は、前記空気冷媒熱交換器（２）を通過するように前記加熱空気を循環させる送風機（５）から成ることを特徴とする請求項１に記載のヒートポンプシステム。
【請求項７】
前記加熱流体の温度を検出する流体温度検出手段（１１）と、前記圧縮機（１）で圧縮された前記冷媒の温度を検出する冷媒温度検出手段（１２）と、を更に有し、
前記制御装置（１０）は、前記冷媒温度検出手段（１２）が検出した前記冷媒の温度から所定温度減算した値が、前記流体温度検出手段（１１）が検出した前記加熱流体の前記温度よりも高い場合に、前記除霜運転開始時の前記圧縮機（１）の回転数よりも前記圧縮機（１）の回転数を所定量低下させることを特徴とする請求項６に記載のヒートポンプシステム。
【請求項８】
前記加熱流体の温度を検出する流体温度検出手段（１１）と、前記圧縮機（１）で圧縮された冷媒の温度を検出する冷媒温度検出手段（１２）と、を更に有し、
前記制御装置（１０）は、前記冷媒温度検出手段（１２）が検出した前記冷媒の温度から所定温度減算した値が、前記流体温度検出手段（１１）が検出した前記加熱流体の前記温度よりも高い場合に、前記除霜運転開始時の前記制御弁（９）の開度よりも前記制御弁（９）の開度を所定量大きくさせることを特徴とする請求項６に記載のヒートポンプシステム。
【請求項９】
前記加熱装置（６、６０）は、床を暖房する床暖房装置（６）と、タンクに温水を供給する温水供給装置（６０）とのいずれかを含むことを特徴とする請求項１ないし５のいずれか一項に記載のヒートポンプシステム。
【発明の詳細な説明】
【技術分野】
【０００１】
本発明は、冷凍サイクルを用いたヒートポンプシステムに関するものである。特には、温水を用いた暖房に使用するヒートポンプシステムにおいて外気を熱源とする熱源側熱交換器の除霜を行うヒートポンプシステムに関する。
【背景技術】
【０００２】
従来、特許文献１に記載の給湯装置においては、圧縮機から吐出された高温高圧の冷媒が、給湯用熱交換器を流れ、電子膨張弁を介して外気を熱源とする熱源側熱交換器を流れて圧縮機に戻る。給湯用熱交換器に給水ポンプからタンク内の水が供給され、水と冷媒とが熱交換する。
【０００３】
そして、熱源側熱交換器の除霜運転時には、給水ポンプを停止させて、電子膨張弁の開度を大きくして除霜していた。また、特許文献１の別の回路では、放熱器と成る給湯用熱交換器を通さずに圧縮機の冷媒出口から蒸発器から成る熱源側熱交換器に高圧冷媒が流れるようにバイパス回路を有する。かつ、バイパス回路に電磁弁等の流量調節弁を配置し、除霜運転時にはこの流量調整弁を開とし、高温冷媒を蒸発器に導入させる除霜方法が提案されている。
【先行技術文献】
【特許文献】
【０００４】
【特許文献１】特開２００１−１０８２５６号公報
【発明の概要】
【発明が解決しようとする課題】
【０００５】
上記特許文献１の技術によると、蒸発器入口に到達する冷媒温度を高くするためには、除霜運転時の吐出圧力を高くする必要があり、除霜運転時の圧縮機の消費電力または消費動力が高くなる。従って、除霜運転時の圧縮機の消費電力または消費動力を節約できるとともに除霜運転を速やかに終了するヒートポンプシステムが望まれる。
【０００６】
本発明は、上記問題点に鑑み、除霜運転時の消費電力または消費動力を低く抑えつつ、除霜運転を短時間に行うことによって、高効率な除霜がなされるヒートポンプシステムを提供することを目的とする。
【０００７】
従来技術として列挙された特許文献の記載内容は、この明細書に記載された技術的要素の説明として、参照によって導入ないし援用することができる。
【課題を解決するための手段】
【０００８】
本発明は上記目的を達成するために、下記の技術的手段を採用する。すなわち、本発明では、ヒートポンプシステムが、冷媒を圧縮する圧縮機（１）と、圧縮機（１）で圧縮された冷媒と流体との熱交換を行う流体冷媒熱交換器（２）と、流体冷媒熱交換器（２）で加熱された流体から成る加熱流体が流れる加熱装置（６、６０）と、を備える。かつ、ヒートポンプシステムが、加熱装置（６、６０）と流体冷媒熱交換器（２）とを通過するように加熱流体を循環させる流体循環装置（５、２３）と、流体冷媒熱交換器（２）を通過した冷媒の流れを制御する制御弁（９）と、を備える。更に、ヒートポンプシステムが、制御弁（９）を通過した冷媒が流れ外気から吸熱する蒸発器（７）と、少なくとも流体循環装置（５、２３）と制御弁（９）とを制御する制御装置（１０）と、を備える。そして、制御装置（１０）は、蒸発器（７）の除霜運転開始時に、制御弁（９）の開度を非除霜運転時よりも大きくし、かつ流体循環装置（５、２３）を運転して流体を流体冷媒熱交換器（２）に流すことを特徴としている。
【０００９】
この発明によれば、制御装置（１０）は、蒸発器（７）の除霜運転時に、制御弁（９）の開度を大きくし、かつ流体循環装置（５）を運転して流体を流体冷媒熱交換器（２）に流す。よって、流体冷媒熱交換器（２）にて加熱装置（６、６０）が保有する熱を、冷媒に供給して、蒸発器（７）の除霜運転を行うことができる。これにより、除霜運転時の消費電力または消費動力を低く抑えつつ、除霜運転を短時間に行うことによって、高効率な除霜が成されるヒートポンプシステムを提供することができる。
【００１０】
また、別の発明では、更に、ヒートポンプシステムは、内部熱交換器（１５）を有する。内部熱交換器（１５）は、流体冷媒熱交換器（２）と膨張弁（１６）の間に設けられた高圧側熱交換部（１５ａ）と蒸発器（７）と圧縮機（１）の間に設けられ、かつ高圧側熱交換部（１５ａ）と熱交換する低圧側熱交換部（１５ｂ）とから成る。そして、流体冷媒熱交換器（２）の冷媒流出側と蒸発器（７）の冷媒流入側との間に除霜用制御弁（９）を設けたことを特徴としている。
【００１１】
この発明によれば、内部熱交換機１５によって冷凍サイクルの効率を良くして、流体冷媒熱交換器２にて加熱される流体を効率よく昇温することができ、かつ、この昇温された熱を利用して短時間で効率よく除霜することができる。また、除霜時においては、内部熱交換器１５をバイパスして冷媒が制御弁９を流れ、内部熱交換器１５に熱を奪われることを抑制して短時間で除霜できる。
【００１２】
更に別の発明では、ヒートポンプシステムは、更に、加熱流体の温度を検出する流体温度検出手段（１１）と、圧縮機（１）で圧縮された冷媒の温度を検出する冷媒温度検出手段（１２）と、を有する。そして、制御装置（１０）は、冷媒温度検出手段（１２）が検出した冷媒の温度から所定温度減算した値が、流体温度検出手段（１１）が検出した加熱流体の温度よりも高いか否かを判定する。そして、高い場合に、除霜運転開始時の圧縮機（１）の回転数よりも圧縮機（１）の回転数を所定量低下させることを特徴としている。
【００１３】
この発明によれば、冷媒の温度から所定温度減算した温度が、流体温度検出手段１１が検出した流体の温度よりも高い場合に、圧縮機１の回転数を所定量低下させるから、圧縮機１の電力または動力を削減することができ、また吐出温度が下がることにより、冷媒が充分に流体から吸熱できる。
【００１４】
更に別の発明では、ヒートポンプシステムは、更に、加熱流体の温度を検出する流体温度検出手段（１１）と、圧縮機（１）で圧縮された冷媒の温度を検出する冷媒温度検出手段（１２）と、を有する。そして、制御装置（１０）は、冷媒温度検出手段（１２）が検出した冷媒の温度から所定温度減算した値が、流体温度検出手段（１１）が検出した加熱流体の温度よりも高いか否かを判定する。そして、高い場合に、除霜運転開始時の制御弁（９）の開度よりも制御弁（９）の開度を所定量大きくさせることを特徴としている。
【００１５】
これによれば、冷媒の温度から所定温度減算した温度が、流体温度検出手段１１が検出した流体の温度よりも高い場合に、制御弁９の開度を所定量大きくさせるから、圧縮機１の高圧側の圧力が減少して、圧縮機１の電力または動力を削減することができる。また、圧縮機１の吐出側の温度である吐出冷媒温度を下げ、水冷媒熱交換器２を介して給水から冷媒が充分に吸熱できる状態にする。
【００１６】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１７】
【図１】本発明の第１実施形態を示すヒートポンプシステムの構成図である。
【図２】上記実施形態におけるヒートポンプシステムの制御を示す一部フローチャートである。
【図３】上記実施形態における除霜と従来の除霜とを比較し、除霜運転時間の短縮効果を説明する説明図である。
【図４】上記実施形態における除霜運転時のモリエル線図である。
【図５】本発明の第２実施形態を示すヒートポンプシステムの構成図である。
【図６】本発明の第３実施形態のヒートポンプシステムの制御を示す一部フローチャートである。
【図７】本発明の第５実施形態を示すヒートポンプシステムの構成図である。
【図８】本発明の第６実施形態を示すヒートポンプシステムの構成図である。
【発明を実施するための形態】
【００１８】
以下に、図面を参照しながら本発明を実施するための複数の形態を説明する。各形態において先行する形態で説明した事項に対応する部分には同一の参照符号を付して重複する説明を省略する場合がある。各形態において構成の一部を説明している場合は、構成の他の部分については先行して説明した他の形態を適用することができる。
【００１９】
各実施形態で具体的に組合せが可能であることを明示している部分同士の組合せばかりではなく、特に組合せに支障が生じなければ、明示していなくても実施形態同士を部分的に組合せることも可能である。
【００２０】
（第１実施形態）
以下、本発明の第１実施形態について図１ないし図４を用いて詳細に説明する。図１は、本発明の第１実施形態を示すヒートポンプシステムを示す。図１において圧縮機１は、電動機で圧縮部が駆動されて冷媒を圧縮する電動圧縮機から成る。この実施形態においては冷媒は二酸化炭素からなるが、他の冷媒を使用することもできる。
【００２１】
水冷媒熱交換器２は、圧縮機１で圧縮された冷媒と内部を流れる流体となる不凍液（以下、単に水、温水、給水のいずれかとも言う）との熱交換を行う。水冷媒熱交換器２にて加熱された水が流れる温水用配管３と、床暖房パネル４と、水冷媒熱交換器２を通過するように水を循環させる循環ポンプ５とが床暖房装置６に設けられている。
【００２２】
圧縮機１から水冷媒熱交換器２を通過した冷媒は、外気から吸熱する外部熱交換器をなす蒸発器７に向かって冷凍サイクル内を流れる。水冷媒熱交換器２と蒸発器７との間に制御弁９が設けられている。この制御弁９は、制御装置１０からの制御信号により開度が制御される。これら圧縮機１、水冷媒熱交換器２、制御弁９、および蒸発器７は、外気から熱を汲み上げる冷凍サイクル装置５０を構成している。冷凍サイクル装置５０は、床暖房装置６と一体化されている。
【００２３】
制御装置１０は、少なくとも循環ポンプ５と制御弁９とを制御する。かつ、制御装置１０は、蒸発器７の除霜運転の開始に応じて制御弁９の開度を通常運転時よりも大きくし、更に、循環ポンプ５が停止しているときは、循環ポンプ５を回転させる。
【００２４】
除霜運転が行われていない床暖房装置６の運転時においては、圧縮機１で圧縮された高温高圧の冷媒が、水冷媒熱交換器２を介して床暖房装置６内の水を温水（例えば３５℃）にする。これによって、床の下に敷設された床暖房パネル４からの放熱によって家屋内の床が暖房される。この間、循環ポンプ５によって水が水冷媒熱交換器２と床暖房パネル４との間を循環する。
【００２５】
また、制御弁９の開度が制御され、この制御弁９は、蒸発器７の冷媒流入側に配置された膨張弁として機能している。そのために、蒸発器７内で冷媒が蒸発し、外気から蒸発器７が吸熱する。吸熱した冷媒は、圧縮機１に吸い込まれ加圧される。このようにして、床暖房装置６の水が加熱されている過程で、蒸発器７に霜が付着し、除霜の必要が生じる。除霜の必要が生じる頃には、床暖房装置６の水が充分に加熱されている。
【００２６】
除霜運転は、蒸発器７の着霜が検出されたとき等の周知のタイミングで開始される。この除霜運転時には、循環ポンプ５は回転を続けるように制御される。これにより、床暖房装置６内の水（温水）は、床暖房パネル４と水冷媒熱交換器２との間を循環している。
【００２７】
また、除霜運転が開始されると、制御弁９の開度が、非除霜時の通常運転時よりも所定量大きくされる（例えば全開とされる）。これにより、圧縮機１で加熱され、更に、床暖房装置６内の温水で加熱された冷媒が、開度が大きくなった制御弁９を通過して蒸発器７流れ込み、蒸発器７を加熱して、除霜運転が成される。
【００２８】
水冷媒熱交換器２の内部を流れる液体は、水や不凍液に限らない。従って、水冷媒熱交換器２は液冷媒熱交換器とも称される。水冷媒熱交換器２で加熱された水の温度を検出する水温度検出センサ１１を有している。そして、除霜運転の間に、制御装置１０は水冷媒熱交換器２と循環ポンプ５の間の水（給水）の温度を検出する水温度検出センサ１１からの信号をモニターしている。
【００２９】
また、圧縮機１で圧縮された冷媒の温度を検出する冷媒吐出温度センサ１２が、圧縮機１の吐出側に設けられている。そして、制御装置１０は、冷媒吐出温度センサ１２からの冷媒吐出温度をモニターしている。
【００３０】
そして、冷媒吐出温度センサ１２が検出した冷媒の温度から、所定温度だけ減算した温度が、水温度検出センサ１１が検出した温水の温度よりも高い場合に、制御装置１０が、圧縮機１の回転数を所定量低下させる。
【００３１】
図２は、第１実施形態のヒートポンプシステム１００の制御を示す。除霜運転の最中の所定のインターバルで図２の制御が制御装置１０によって繰り返し実行される。図２のステップＳ２１において制御がスタートすると、ステップＳ２２において、水温度検出センサ１１が検出した水温度と、冷媒吐出温度との関係を判定する。
【００３２】
冷媒吐出温度から所定温度αだけ減算した温度が、水温度よりも小さくない場合は、ステップＳ２３に進むようにしている。ステップＳ２３では、圧縮機１の回転数を所定量減じ、吐出温度を下げ、水冷媒熱交換器２を介して温水から冷媒が吸熱できる状態とする。この結果、圧縮機１で消費される電力または動力が節約できる。
【００３３】
ステップ２２において、冷媒吐出温度から所定温度αだけ減算した温度が、給水温度検出センサ１１が検出した給水温度よりも低い場合は、ステップＳ２４で制御を終了する。この図２の制御は、除霜運転期間中に所定のタイムインターバルで繰り返される。αは水から冷媒に充分に熱伝達されるために必要な温度差であり、予め実験等で決定されている。
【００３４】
図３を用いて、上記第１実施形態における除霜と従来の除霜とを比較し、除霜運転時間の短縮効果を説明する。図３において、縦軸には除霜時間比率を示しており、従来の除霜制御での除霜時間比率を１としている。本発明の第１実施形態においては、除霜時間比率は０．３程度であり、約７０％の時間短縮が可能となる。
【００３５】
従来の除霜運転においては、圧縮機１のエネルギーのみで除霜を行うことが一般的であった。それに対し、この実施形態においては、通常運転に外気熱を利用して沸かした温水で冷媒を温めることで、短時間かつ高効率に除霜運転を行うことが出来る。
【００３６】
図４は、除霜運転時のモリエル線図である。図４の縦軸に圧力（ｐ）をとり、横軸に比エンタルピー（ｈ）をとっている。図４において、ａ→ｂ間は、圧縮機による冷媒圧力の昇圧を示す。ｂ→ｃ間は、水冷媒熱交換器により冷媒が加熱される（温水から冷媒が吸熱する）ことによる冷媒の比エンタルピーの増加を示している。ｃ→ｄ間は、制御弁９による冷媒の減圧を示している。ｄ→ａ間は、蒸発器を加熱して除霜することによる比エンタルピーの減少を示している。
【００３７】
比較例と成る除霜運転においては、圧縮機１のエネルギーのみで除霜運転している。図４において、比較例の除霜運転時のモリエル線図を一部破線で示している。比較例の除霜運転時のモリエル線図では、ａ→ｂｂ間は、圧縮機１による冷媒圧力の昇圧を示す。ｂｂ→ｄｂ間は、圧縮機１の高圧側の冷媒を電磁弁とキャピラリとを介して蒸発器７に導いたときの冷媒の減圧を示している。ｄｂ→ａ間は、蒸発器を加熱して除霜することによる比エンタルピーの減少を示している。比較例の除霜能力は、ａ−ｄｂ間の長さに相当し、上記実施形態の除霜能力は、ａ−ｄ間の長さに相当し、除霜能力が向上している。比較例の除霜運転の成績係数をＣＯＰ＝１とするとき、実施形態の除霜運転の成績係数は、ＣＯＰ＝１+αと成り、αは温水から冷媒が吸熱する分に相当する。
【００３８】
通常の給湯機においては、除霜運転時には水冷媒熱交換器２において、水に熱量を奪われることを防止するために、水の流れを止めるのが一般的である。しかし、床暖房装置６として用いる場合は、温水の熱容量が大きいために除霜運転中に水を止める必要がない。従って、暖房運転モードから除霜運転に切り替わる際には、水を流し続けることで水冷媒熱交換器２に常に熱量（例えば３０℃の戻り水から成る温水の熱量）が供給される。
【００３９】
なお、床暖房装置だけでなく温水を用いた種々の暖房装置が採用できる。いずれにおいても、暖房装置自体（端末装置自体）の熱容量のほか、暖房装置自体に至るまでのホースや温水用配管内の温水の熱容量も活用できる。
【００４０】
そして、水冷媒熱交換器２において、水から冷媒へ熱を伝えるために、意図的に吐出圧力を下げることによって、圧縮機１の圧縮負荷の軽減（電力消費量軽減）が図れる。更に、吐出圧力が下がることにより、水冷媒熱交換器２内の冷媒の密度が小さく成り、その分、蒸発器７に流入する冷媒量が増加し、更なる除霜運転時間の短縮効果も付随的に発生する。
【００４１】
（第１実施形態の作用効果）
上記第１実施形態においては、図１の水冷媒熱交換器で流体冷媒熱交換器２を構成し、床暖房装置６で加熱装置６を構成し、循環ポンプ５で流体循環装置５を構成し、制御弁９は、制御装置１０によって、開度を全閉から全開まで調整できる。
【００４２】
そして、ヒートポンプシステム１００は、冷凍システム装置５０と床暖房装置６とを含み、冷媒を圧縮する圧縮機１と、圧縮機１で圧縮された冷媒と流体との熱交換を行う流体冷媒熱交換器２とを有する。
【００４３】
そして、流体冷媒熱交換器２にて加熱された流体が流れる加熱装置６に流体冷媒熱交換器２を通過するように流体を循環させる流体循環装置５が設けられている。更に、流体冷媒熱交換器２を通過した冷媒の流れを制御する制御弁９と、制御弁９を通過した冷媒が流れ、外気から吸熱する蒸発器７と、少なくとも流体循環装置５と制御弁９とを制御する制御装置１０が設けられている。制御装置１０は、蒸発器７の除霜運転時に、制御弁９の開度を非除霜運転時よりも大きくし、かつ流体循環装置５を運転して流体を流体冷媒熱交換器２に流す。
【００４４】
これによれば、制御装置１０は、蒸発器７の除霜運転時に、制御弁９の開度を大きくし、かつ流体循環装置５を運転して流体を流体冷媒熱交換器２に流す。よって、流体冷媒熱交換器２にて加熱された流体が充満している加熱装置６、６０が保有する熱を、冷媒に供給して、蒸発器７の除霜運転を行うことができる。これにより、除霜運転時の消費電力または消費動力を低く抑えつつ、除霜運転を短時間に行うことによって、高効率な冷凍サイクルを用いたヒートポンプシステムを提供することができる。
【００４５】
また、流体冷媒熱交換器２は、圧縮機１で圧縮された冷媒と液体との熱交換を行う液冷媒熱交換器２から成り、加熱装置６は、液冷媒熱交換器２にて加熱された液体を放熱させる温水機器６と成る床暖房装置から成る。そして、流体循環装置５は、温水機器６と液冷媒熱交換器２とに液体を循環させるポンプ５から成る。
【００４６】
これによれば、制御装置１０は、蒸発器７の除霜時に、制御弁９の開度を大きくし、かつポンプ５を回転させる。よって、液冷媒熱交換器２にて加熱された液体を放熱させる温水機器６、６０に流れる液体が保有する熱を、冷媒に供給できる。従って、速やかに、蒸発器７の除霜運転を終了させることができる。これにより、除霜運転時の消費電力または消費動力を低く抑えつつ、除霜運転を短時間に行うことによって、高効率な除霜がなされるヒートポンプシステムを提供することができる。
【００４７】
次に、図１および図２に示したように、水温度検出センサ１１で流体温度検出手段１１が構成され、冷媒吐出温度センサ１２で冷媒温度検出手段１２が構成されている。そして、ヒートポンプシステム１００は、流体冷媒熱交換器２にて加熱された流体の温度を検出する流体温度検出手段１１と、圧縮機１で圧縮された冷媒の温度を検出する冷媒温度検出手段１２とを有して次の制御を行っている。
【００４８】
つまり、冷媒温度検出手段１２が検出した冷媒の温度から所定温度減算した温度が、流体温度検出手段１１が検出した流体の温度よりも高いか否かを判定する。そして、高い場合に、制御装置１０が、除霜運転開始時よりも圧縮機１の回転数を所定量低下させている。
【００４９】
これによれば、冷媒の温度から所定温度減算した温度が、流体温度検出手段１１が検出した流体の温度よりも高い場合に、圧縮機１の回転数を所定量低下させるから、圧縮機１の電力または動力を削減することができ、冷媒が充分に流体から吸熱できる。
【００５０】
（第２実施形態）
次に、本発明の第２実施形態について説明する。なお、以降の各実施形態においては、上述した第１実施形態と同一の構成要素には同一の符号を付して説明を省略し、異なる構成について説明する。なお、第２実施形態以下については、第１実施形態と同じ符号は、同一の構成を示すものであって、先行する説明が援用される。
【００５１】
図５を用いて、本発明の第２実施形態を示すヒートポンプシステムを説明する。また、制御は図２の制御が実行される。図５において、圧縮機１は冷媒を圧縮する。水冷媒熱交換器２は、圧縮機１で圧縮された冷媒と内部を流れる流体となる不凍液（以下、単に水、温水、給水のいずれかとも言う）との熱交換を行う。床暖房パネル４および水を流す温水用配管３に水冷媒熱交換器２を通過するように給水を循環させる循環ポンプ５が設けられている。
【００５２】
水冷媒熱交換器２と蒸発器７との間に、高圧側熱交換部１５ａと電子膨張弁１６とが接続されている。電子膨張弁１６は、制御装置１０からの制御信号により開閉状態が制御され、単に膨張弁とも言う。制御弁９を成す除霜用電磁弁９は、通常時（非除霜時には）には閉じており、除霜時は開状態に成っている。従って、通常時には、冷媒が高圧側熱交換部１５ａと膨張弁１６とを通過して蒸発器７に流れる。
【００５３】
蒸発器７内で外気から気化熱を奪った冷媒は、他方の低圧側熱交換部１５ｂを通過して圧縮機１の吸い込み側に導かれる。これにより冷媒は、外気から吸熱して水冷媒熱交換器２を介して床暖房パネル４に流れる給水を加熱する。高圧側熱交換部１５ａと低圧側熱交換部１５ｂとは熱伝達可能に結合されており、全体として内部熱交換器１５を構成している。
【００５４】
除霜用電磁弁９は、制御装置１０からの制御信号により開、または、閉状態が切替制御される。制御装置１０は、少なくとも循環ポンプ５と制御弁９とを制御する。かつ、制御装置１０は、蒸発器７の除霜運転の開始に応じて制御弁９を開き、膨張弁１６を閉じ、かつ循環ポンプ５が停止している場合は回転させる。
【００５５】
通常運転の場合の床暖房装置６の運転時においては、圧縮機１で圧縮された高温高圧の冷媒が、水冷媒熱交換器２を介して床暖房装置６内の水を加熱する。これによって床の下に敷設された床暖房パネル４からの放熱によって家屋内の床が暖房される。この間、循環ポンプ５によって水が水冷媒熱交換器２と床暖房パネル４との間を循環する。
【００５６】
床暖房装置６の給水が加熱されている過程で、蒸発器７に霜が付着し、除霜の必要が生じる。除霜の必要が生じる頃には、床暖房装置６の水が充分に加熱されている。除霜運転は、蒸発器７の着霜が検出されたとき等の周知のタイミングで開始される。
【００５７】
この除霜運転時には、循環ポンプ５は回転を続け、床暖房装置６内の水（温水）は、床暖房パネル４と水冷媒熱交換器２との間を循環している。また、除霜運転が開始されると、除霜用電磁弁９が開かれる。これにより、圧縮機１で加熱され、更に、床暖房装置６内の水で加熱された冷媒が、配管８内を流れ、開かれた除霜用電磁弁９側をバイパスして蒸発器７に流れ込み、蒸発器７の除霜が成される。このバイパス流路８０を有することで、内部熱交換器１５における冷媒温度低下を防ぐことが出来、除霜効率が良くなる。
【００５８】
除霜運転時においては、除霜用電磁弁９が閉から開となり、膨張弁１６は開から閉になるため、バイパス流路８０を冷媒が流れる。また、除霜用電磁弁９の口径が大きい場合、吐出冷媒圧力を低くすることができ、水冷媒熱交換器２内の冷媒の密度が低下する。よって、水冷媒熱交換器２が保有する冷媒量が減少し、その代わりに、蒸発器７に流れる冷媒量が増加する。
【００５９】
第２実施形態においては、水冷媒熱交換器２の冷媒流出側と、蒸発器７の冷媒流入側とを高圧側熱交換部１５ａと膨張弁１６とで接続している。また、蒸発器７の冷媒流出側と圧縮機１とを低圧側熱交換部１５ｂにて接続している。高圧側熱交換部１５ａと低圧側熱交換部１５ｂとをお互いに熱伝達するように結合して内部熱交換器１５が構成されている。この内部熱交換器１５は、通常運転時における冷凍サイクルの効率を良くする。なお、制御は、図２の制御を採用することができる。
【００６０】
（第２実施形態の作用効果）
第２実施形態においては、図５に示したように、流体冷媒熱交換器２の冷媒流出側と、蒸発器７の冷媒流入側とが、高圧側熱交換部１５ａと膨張弁１６とで接続され、蒸発器７の冷媒流出側と圧縮機１とが、低圧側熱交換部１５ｂにて接続されている。そして、高圧側熱交換部１５ａと低圧側熱交換部１５ｂとをお互いに熱伝達するように結合して内部熱交換器１５を構成している。
【００６１】
これによれば、内部熱交換機１５によって冷凍サイクルの効率を良くして、流体冷媒熱交換器２にて加熱される流体を効率よく昇温することができ、かつ、この昇温された熱を利用して短時間で効率よく除霜することができる。また、除霜時においては、内部熱交換器１５をバイパスして冷媒が制御弁９を流れ、内部熱交換器１５に熱を奪われることを抑制して短時間で除霜できる。
【００６２】
（第３実施形態）
次に、本発明の第３実施形態について説明する。上述した実施形態と異なる部分を説明する。図６を用いて、本発明の第３実施形態のヒートポンプシステムの制御を説明する。全体構成図は図１または図５が援用できるが、この第３実施形態では図１を援用する。
【００６３】
図１の制御弁９は、通常運転時は閉じているが、除霜運転時には、除霜用開度まで開かれる。制御弁９が開と成っている除霜運転の最中の所定のインターバルで、図６の制御が繰り返し実行される。ステップＳ６１において制御がスタートすると、ステップＳ６２において、水温度検出センサ１１（図１）が検出した給水温度と、冷媒吐出温度センサ１２が検出した冷媒吐出温度との関係を判定する。冷媒吐出温度から所定温度αだけ減算した温度が、給水温度よりも小さくない場合は、ステップＳ６３に進むようにしている。
【００６４】
ステップＳ６３では、図１の制御弁９の開度を所定量さらに大きくする。この結果、圧縮機１の吐出側の温度である吐出温度（吐出圧力）を下げ、水冷媒熱交換器２を介して給水から冷媒が吸熱できる状態にする。
【００６５】
ステップ６２において、給水温度が、冷媒吐出温度から所定温度αだけ減算した温度よりも高い場合は、ステップＳ６４で制御を終了する。この図６の制御は、除霜運転期間中に所定のタイムインターバルで繰り返される。
【００６６】
（第３実施形態の作用効果）
上記第３実施形態においては、流体冷媒熱交換器２にて加熱された流体の温度を検出する流体温度検出手段１１と、圧縮機１で圧縮された冷媒の温度を検出する冷媒温度検出手段１２とを有している。そして、冷媒温度検出手段１２が検出した冷媒の温度から所定温度減算した温度が、流体温度検出手段１１が検出した流体の温度よりも高いか否かを判定する。そして、高い場合に、制御装置１０が、制御弁９の開度を除霜運転開始時よりも所定量大きくさせる制御を行っている。
【００６７】
これによれば、冷媒の温度から所定温度減算した温度が、流体温度検出手段１１が検出した流体の温度よりも高い場合に、制御弁９の開度を所定量大きくさせるから、圧縮機１の高圧側の圧力が減少して、圧縮機１の電力または動力を削減することができる。また、圧縮機１の吐出側の温度である吐出温度を下げ、水冷媒熱交換器２を介して給水から冷媒が充分に吸熱できる状態にする。
【００６８】
（第４実施形態）
次に、本発明の第４実施形態について説明する。上述した実施形態と異なる部分を説明する。この第４実施形態は、図５の全体構成と図６の制御を組み合わせたものである。ただし、図５の除霜用の制御弁９として、開度が複数段に制御可能である弁を採用している。第４実施形態を、図５と図６とを援用して説明する。図５の制御弁９は、通常時は閉じ、除霜時には開く。
【００６９】
除霜運転の最中の所定のインターバルで図６の制御が繰り返し実行される。ステップＳ６１において制御がスタートすると、ステップＳ６２において、給水温度検出センサ１１が検出した給水温度と、冷媒吐出温度センサ１２が検出した冷媒吐出温度との関係を判定する。冷媒吐出温度から所定温度αだけ減算した温度が、給水温度よりも小さくない場合は、ステップＳ６３に進むようにしている。
【００７０】
ステップＳ６３では、図５の除霜用電磁弁５の開度をあらかじめ設定された所定量さらに大きくする。この結果、圧縮機１の高圧側の圧力が低下し、圧縮機１で消費される電力または動力が節約できる。ステップ６２において、給水温度が、冷媒吐出温度から所定温度αだけ減算した温度よりも高い場合は、ステップＳ６４で制御を終了する。この図６の制御は、除霜運転期間中に所定のタイムインターバルで繰り返される。
【００７１】
（第４実施形態の作用効果）
上述したように第４実施形態は、図５の全体構成と図６の制御を組み合わせている。つまり内部熱交換器１５を有する冷凍サイクル装置５０と床暖房装置６とを持つヒートポンプシステム１００において、図６のように除霜運転時の制御弁９の開度を制御している。
【００７２】
従って、内部熱交換器１５によって効率よく床暖房装置６の温水温度を上昇させ、除霜運転時において、冷媒が効率よく温水から吸熱するように、制御弁９の開度を制御して圧縮機１の吐出側の高圧を低下させている。これにより圧縮機１駆動用の電力または動力が軽減でき、更に、短時間で終了する除霜が効率よく行われる。
【００７３】
（第５実施形態）
次に、本発明の第５実施形態について説明する。上述した実施形態と異なる部分を説明する。図７を用いて、本発明の第５実施形態を示すヒートポンプシステムを説明する。図７において、加熱装置６は、室内（庫内を含む）を流れる空気の温度を暖める室内暖房装置６から成る（本発明の室内暖房装置は、庫内暖房装置を含む）。
【００７４】
圧縮機１は冷媒を圧縮する。この実施形態において、冷媒は二酸化炭素からなるが、他の冷媒を使用することもできる。流体冷媒熱交換器を成す凝縮器２は、圧縮機１で圧縮された冷媒と内部を流れる空気との熱交換を行う。
【００７５】
凝縮器２にて加熱された空気は、温風として室内等の所定の大きさの空間内の温度を上昇させる。この温風の温度は、流体温度検出手段１１となる吹出温度センサ１１で検出される。凝縮器２を通過するように室内に空気を循環させる送風機５が設けられている。圧縮機１から凝縮器２を通過した冷媒は、外気から吸熱する外部熱交換器を成す蒸発器７に向かって流れる。
【００７６】
凝縮器２と蒸発器７との間に、高圧側熱交換部１５ａと第１電子膨張弁１６（単に第１膨張弁１６とも言う）とが接続されている。除霜用の制御弁を成す第２電子膨張弁９（単に第２膨張弁９とも言う）は、除霜時以外は全閉されている。従って、通常時における冷媒は、高圧側熱交換部１５ａと第１膨張弁１６とを通過して蒸発器７に流れる。
【００７７】
蒸発器７内で膨張し外気から気化熱を奪った冷媒は、低圧側熱交換部１５ｂを通過して圧縮機１の吸入側に導かれる。これにより冷媒は、外気から吸熱して凝縮器２を介して凝縮器２を通過する空気を加熱する。この空気は、室内を循環して当該室内を暖房する。
【００７８】
制御は、図２の方式または図６の方式によることができる。図２の方式と図６の方式とを同時に用いることもできる。この第５実施形態は、図６の方式を採用している。除霜用の制御弁を成す第２膨張弁９は、制御装置１０からの制御信号により開度が制御される。制御装置１０は、少なくとも送風機５の回転と除霜用の制御弁を成す第２膨張弁９の開度とを制御する。そして、制御装置１０は、蒸発器７の除霜運転の開始に応じて第２膨張弁９を閉から開に切り替える。かつ送風機５が停止している場合は送風機５を回転させる。
【００７９】
「除霜運転が行われていない場合」の室内の暖房運転時においては、圧縮機１で圧縮された高温高圧の冷媒が、凝縮器２を介して空気の温度を高温にする。これによって室内等の所定空間内の温度が上昇する。この間、送風機５によって空気が凝縮器２内を通過して室内を循環する。
【００８０】
室内の空気が加熱されている過程で、蒸発器７に霜が付着し、除霜の必要が生じる。除霜の必要が生じる頃には、室内の空気は充分に温度上昇している。除霜運転は蒸発器７の着霜が検出されたとき等の周知のタイミングで開始される。この除霜運転時には、送風機５は回転を続け、室内の空気は凝縮器２を循環している。
【００８１】
また、除霜運転が開始されると、除霜用の制御弁を成す第２膨張弁９の開度が、非除霜時の通常運転時の全閉状態から除霜用開度となる。一方、第１膨張弁１６は全閉にされる。これにより、圧縮機１で加熱され、更に、凝縮器２を介して温度の高い循環する空気で加熱された冷媒が、除霜用開度となった第２膨張弁９側をバイパスしてバイパス流路８０を通過して蒸発器７流れ込み、蒸発器７の除霜が成される。
【００８２】
第５実施形態においては、凝縮器２の冷媒流出側と、蒸発器７の冷媒流入側とを高圧側熱交換部１５ａと第１膨張弁１６とで接続している。また、蒸発器７の冷媒流出側と圧縮機１とを低圧側熱交換部１５ｂにて接続している。高圧側熱交換部１５ａと低圧側熱交換部１５ｂとをお互いに熱伝達するように結合して内部熱交換器１５が構成されている。
【００８３】
そして、除霜中において、所定のインターバルで図６の制御が繰り返し実行される。図６のステップＳ６２において、流体温度となる吹出温度センサ１１で検出した温度が、冷媒吐出温度から所定温度αだけ減算した温度より大きくないと、図７の第２膨張弁９の開度が所定量大きくなるよう制御される。
【００８４】
（第５実施形態の作用効果）
上述の図７のように、第５実施形態においては、空気が流れる凝縮器２で、流体冷媒熱交換器２が構成されている。つまり、流体冷媒熱交換器２は、圧縮機１で圧縮された冷媒と空気との熱交換を行う空気冷媒熱交換器２から成る。そして、ヒートポンプシステム１００は、冷凍システム装置５０と、送風機５と凝縮器２と、凝縮器２からの温風が循環する限られた空間体積を有する図示しない部屋（室内または庫内）とを有する室内暖房装置６とから構成されている。
【００８５】
加熱装置６は、空気冷媒熱交換器２にて加熱された空気で暖房する室内暖房装置６から成る。また、流体循環装置５は、空気冷媒熱交換器２を通過するように空気冷媒熱交換器で加熱された空気を循環させる送風機５から成る。
【００８６】
これによれば、除霜運転時に、制御弁の開度を大きくし、かつ送風機５を回転させるから、空気冷媒熱交換器２にて空気を加熱する室内暖房装置６が保有する熱を冷媒に供給して、蒸発器７の除霜運転を行うことができる。これにより、除霜運転時の消費電力または消費動力を低く抑えつつ、除霜運転を短時間に行うことによって、高効率な冷凍サイクルを用いたヒートポンプシステム１００を提供することができる。
【００８７】
また、第５実施形態のヒートポンプシステム１００の制御は、図２の方式または図６の方式によることができる。図２の方式によるときは、流体冷媒熱交換器２にて加熱された流体と成る空気の温度を検出する流体温度検出手段１１（吹出温度センサ１１）が用いられる。また、圧縮機１で圧縮された冷媒の温度を検出する冷媒温度検出手段１２（冷媒吐出温度センサ１２）が用いられる。
【００８８】
そして、冷媒温度検出手段１２が検出した冷媒の温度から所定温度減算した温度が、流体温度検出手段１１が検出した温度よりも高い場合に、制御装置１０が、圧縮機１の回転数を所定量低下させる。
【００８９】
これによれば、冷媒の温度から所定温度減算した温度が、流体温度検出手段１１が検出した流体（空気）の温度よりも高い場合に、圧縮機１の回転数を所定量低下させるから、圧縮機１の電力または動力を削減することができる。かつ、圧縮機１の回転数の低下によって冷媒の温度が下がるので、凝縮器２を介して空気によって冷媒が充分に加熱されるようになる。
【００９０】
また、第５実施形態のヒートポンプシステム１００の制御を、図６の方式によって行うときは、凝縮器２から成る流体冷媒熱交換器２にて加熱された空気から成る流体の温度を検出する流体温度検出手段１１が用いられる。また、圧縮機１で圧縮された冷媒の温度を検出する冷媒温度検出手段１２が用いられる。
【００９１】
そして、冷媒温度検出手段１２が検出した冷媒の温度から所定温度減算した温度が、流体温度検出手段１１が検出した流体の温度よりも高い場合に、制御装置１０が、制御弁９の開度を予め設定された除霜用開度から更に所定量大きくさせる。
【００９２】
これによれば、冷媒の温度から所定温度減算した温度が、流体温度検出手段１１が検出した加熱された空気からなる流体の温度よりも高い場合に、制御弁９の開度を所定量大きくさせるから、圧縮機１の高圧側の圧力が減少して、圧縮機１の電力または動力を削減することができる。更に、圧縮機１の高圧側の圧力が減少することにより、凝縮器２を通過する冷媒の温度が低下し、冷媒が充分に吸熱することができる。
【００９３】
一方、除霜期間中は、送風機５を回転し続けるため、凝縮器２からの温風が循環する室内暖房装置６の限られた空間体積を有する図示しない部屋（室内または庫内）には、高温の空気が循環している。よって、この空気並びに温度が上がっている部屋（室内または庫内）が有する熱容量を利用して、凝縮器２を介して冷媒に吸熱させる（冷媒を加熱する）ことができる。
【００９４】
（第６実施形態）
次に、本発明の第６実施形態について説明する。上述した実施形態と異なる部分を説明する。図８を用いて、本発明の第６実施形態を示すヒートポンプシステムを説明する。この第６実施形態は、水冷媒熱交換器２によって加熱された温水を床暖房装置６に使用すると共に、貯湯タンク２１に高温水を供給する給湯用熱交換器２２を介して貯湯タンク２１内の給水（給湯用水）を加熱する給湯装置６０にも使用するものである。
【００９５】
水冷媒熱交換器２からの温水は、循環ポンプ５を運転するか第１給湯ポンプ２３を運転するかによって、床暖房パネル４に行くか給湯用熱交換器２２に行くか切替えることができる。給湯用熱交換器２２と貯湯タンク２１の間には、第２給湯ポンプ２４が設けられている。
【００９６】
この第６実施形態においては、除霜期間中において、第２水冷媒熱交換器２を流れる温水の熱容量を、循環ポンプ５と第１給湯ポンプ２３とを切替制御して、選択して大きくすることができる。換言すれば、熱容量の大きいほうのポンプ５、２３を運転できる。
【００９７】
なお、給湯用熱交換器２２は貯湯タンク２１内に設けても良い。給湯用熱交換器２２は、貯湯タンク２１内の給水と床暖房装置６の温水が混じらないようにするため熱交換器である。この種の熱交換器は、床暖房装置６側に設けても良い。
【００９８】
（第６実施形態の作用効果）
第６実施形態においては、図８のように、ヒートポンプシステム１００が、冷凍サイクル装置５０と床暖房装置６と給湯装置６０とから構成されている。そして、図８の水冷媒熱交換器２で流体冷媒熱交換器２を構成し、床暖房装置６と給湯装置６０とで加熱装置６、６０を構成されている。また、循環ポンプ５と第１給湯ポンプ２３とで流体循環装置５、２３が構成され、制御弁９は、制御装置１０によって、開度を全閉から全開まで調整できる。
【００９９】
そして、ヒートポンプシステム１００は、冷媒を圧縮する圧縮機１と、圧縮機１で圧縮された冷媒と流体との熱交換を行う流体冷媒熱交換器２とを有する。更に、流体冷媒熱交換器２にて加熱された流体となる温水が流れる加熱装置６、６０に流体冷媒熱交換器２を通過するように流体を循環させる流体循環装置５、２３となる循環ポンプ５と第１給湯ポンプ２３とが設けられている。
【０１００】
更に、流体冷媒熱交換器２を通過した冷媒の流れを制御する制御弁９と、制御弁９を通過した冷媒が流れ、外気から吸熱する蒸発器７と、少なくとも流体循環装置５、２３と制御弁９とを制御する制御装置１０が設けられている。制御装置１０は、蒸発器７の除霜運転時に、制御弁９の開度を非除霜運転時よりも大きくし、かつ流体循環装置５となる循環ポンプ５と第１給湯ポンプ２３との少なくともいずれかを運転して流体と成る温水を流体冷媒熱交換器２に流し続ける。
【０１０１】
これによれば、流体冷媒熱交換器２にて加熱された流体が充満している加熱装置６、６０が保有する熱を、冷媒に供給して、蒸発器７の除霜運転を行うことができる。これにより、除霜運転時の消費電力または消費動力を低く抑えつつ、除霜運転を短時間に行うことによって、高効率な冷凍サイクルを用いたヒートポンプシステムを提供することができる。
【０１０２】
このように、加熱装置６、６０は、床を暖房する床暖房装置６、タンクに温水を供給する給湯装置６０から成る温水供給装置６０のいずれかを含む。従って、床暖房装置６または温水供給装置６０が保有する熱を利用して蒸発器の除霜を速やかに完了させることができる。
【０１０３】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【０１０４】
例えば、凝縮器を通る空気で暖められる室内は家屋の室内でなくとも良く、閉じられた空間となる車載等の庫内であっても良い。また、制御弁で流量を調整する場合は、弁の開度を微調節するものに限らず、ＯＮ−ＯＦＦ弁のデューティ比を制御して流量を制御する弁であっても良い。また、電磁弁に限らず、ステップモータを使用した電動弁等の制御信号で弁動作が制御される制御弁を使用できることは勿論である。
【０１０５】
また、圧縮機は電動圧縮機に限らず、内燃機関で駆動される圧縮機であっても良い。加熱装置は、温水が流れる種々の装置から構成でき、例えば、タンクと成る温水プールまたは温水槽に温水を供給する装置であっても良い。更に、ポンプ内を循環する流体は、水に限らず油等、他の流体でも良い。
【０１０６】
また、図６のように制御弁の開度を所定量大きくして高圧側の圧力を減少させ、圧縮機の電力または動力を削減する場合は、除霜用開度は全開ではなく、更に開度を大きくできる状態で除霜を開始する。しかし、図２のように圧縮機の回転数を制御する場合は、除霜時においては、制御弁９は全開とされる。この場合は、全閉と全開とを切替える構造の簡単な電磁弁が使用できる。
【符号の説明】
【０１０７】
１  圧縮機
２  流体冷媒熱交換器、液冷媒熱交換器、空気冷媒熱交換器
５  流体循環装置、ポンプ、送風機
６、６０  加熱装置、温水機器、室内暖房装置、床暖房装置、給湯装置
７  蒸発器
９  制御弁
１０  制御装置
１１  流体温度検出手段
１２  冷媒温度検出手段
１５、（１５ａ、１５ｂ）  内部熱交換器
【図１】
2014214886.tif 000003
【図２】
2014214886.tif 000004
【図３】
2014214886.tif 000005
【図４】
2014214886.tif 000006
【図５】
2014214886.tif 000007
【図６】
2014214886.tif 000008
【図７】
2014214886.tif 000009
【図８】
2014214886.tif 000010